(57)【要約】【課題】  イヤホンをスピーカとしても使用することができ、小型化及び低コスト化を図ること。【解決手段】  ケース本体２と、ケース本体に出し入れ可能に取り付けられたコード３ａと、コードの先端に配されて耳に挿入可能な挿入部３ｂとを有するイヤホン３と、イヤホンから音声を出力させる音声出力手段と、イヤホンを収納すると共に収納されたイヤホンから出力された音声を内壁で反響させて該音声による空気振動を増幅させる収納室５と、収納室内を閉塞する閉位置と収納室内を開放する開位置Ｐ２との間で変位可能にケース本体に固定され、増幅された空気振動によって振動する振動板６ａを有するカバー部６とを備えている携帯用電子機器１を提供する。【選択図】  図５
2008187430.tif 000002
【特許請求の範囲】
【請求項１】
ケース本体と、
該ケース本体に基端側が出し入れ可能に取り付けられたコードと、該コードの先端に配されて耳に挿入可能な挿入部とを有するイヤホンと、
前記ケース本体に設けられ、前記イヤホンから音声を出力させる音声出力手段と、
前記ケース本体の表面から内側に凹んだ状態で形成され、前記イヤホンを収納すると共に、収納されたイヤホンから出力された音声を内壁で反響させて該音声による空気振動を増幅させる収納室と、
該収納室内を閉塞する閉位置と収納室内を開放する開位置との間で変位可能に前記ケース本体に固定され、増幅された前記空気振動によって振動する振動板を有するカバー部と、を備えていることを特徴とする携帯用電子機器。
【請求項２】
請求項１に記載の携帯用電子機器において、
前記収納室には、前記挿入部が嵌め込まれる嵌合孔が形成され、
該嵌合孔は、嵌め込まれた前記挿入部の周囲を所定の力で押圧して保持することを特徴とする携帯用電子機器。
【請求項３】
請求項１又は２記載の携帯用電子機器において、
前記カバー部は、ヒンジ部を介して前記ケース本体に開閉可能に固定されていることを特徴とする携帯用電子機器。
【請求項４】
請求項１又は２記載の携帯用電子機器において、
前記カバー部は、前記ケース本体に対してスライド可能に固定されていることを特徴とする携帯用電子機器。
【請求項５】
請求項１から３のいずれか１項に記載の携帯用電子機器において、
前記イヤホン、前記収納室及び前記カバー部材をそれぞれ２つ備えていることを特徴とする携帯用電子機器。
【請求項６】
請求項５に記載の携帯用電子機器において、
前記音声出力手段は、前記２つのイヤホンから出力させる音声の出力レベルをそれぞれ調整するステレオ音量調整手段を有していることを特徴とする携帯用電子機器。
【請求項７】
請求項１から６のいずれか１項に記載の携帯用電子機器において、
前記本体ケースの表面には、少なくとも１つが前記音声出力手段を制御する複数のスイッチと、前記音声出力手段の出力情報を表示する表示部とが設けられていることを特徴とする携帯用電子機器。
【請求項８】
請求項７に記載の携帯用電子機器において、
前記収納室は、前記複数のスイッチ及び前記表示部が設けられた面と同じ面に設けられていることを特徴とする携帯用電子機器。
【請求項９】
請求項１から８のいずれか１項に記載の携帯用電子機器において、
前記ケース本体内には、前記コードをケース本体内に巻き取る巻取手段が設けられていることを特徴とする携帯用電子機器。
【請求項１０】
請求項１から９のいずれか１項に記載の携帯用電子機器において、
前記本体ケース内に設けられた充電池と、
前記ケース本体に設けられ、前記充電地に電力を充電する充電手段とを備えていることを特徴とする携帯用電子機器。
【発明の詳細な説明】
【技術分野】
【０００１】
本発明は、持ち運び可能な携帯用電子機器に関するものである。
【背景技術】
【０００２】
現在、携帯電話機、ＰＤＡ等の携帯情報端末や携帯型ゲーム機等、数多くの携帯用電子機器が提供されている。この種の携帯用電子機器は、通常機器本体に内蔵されたスピーカによって音声を聞くことができるようになっているが、外部の音を遮断して音声を聞くために、イヤホンも使用できるようになっているのが一般的である。このイヤホンの取り付けに関しては、機器本体にイヤホンのジャックを差し込んで使用する方法が一般的な使われ方である。
【０００３】
一方、機器本体にイヤホンを収納できるように構成された携帯用電子機器も知られている（例えば、特許文献１及び２参照）。具体的には、イヤホンと機器本体とが巻き取り可能なコードによって接続されている。これにより、イヤホンを使用する場合には、イヤホンを機器本体の収納部から引き出して使用することができる。また、イヤホンを使用しない場合には、コードを巻き取ってイヤホンを収納部に収納することができる。
【特許文献１】特開２０００−１３４２９８号公報
【特許文献２】特開平７−１４３２１４号公報
【発明の開示】
【発明が解決しようとする課題】
【０００４】
しかしながら、従来の携帯用電子機器では、以下の課題がまだ残されていた。
始めに、各種の携帯用電子機器は、近年の小型化によってバックやポケット等に入れて容易に持ち運べるようになっている。そのため、電車等での移動や歩行の際に頻繁に使用でき、常に持ち歩いている人が数多くいる。よって、イヤホンを使用する頻度は、非常に高いものであった。
ところが、機器本体にジャックを差し込んでイヤホンを使用する場合には、常に長いコードを有するイヤホンを持ち運ぶ必要があり、煩わしさを感じるものであった。しかも、イヤホンを使用する毎に、ジャックを抜き差しする必要があるので、この点においても煩わしさを感じるものであった。
【０００５】
これに対して、コードが巻き取り可能とされ、機器本体にイヤホンを収納することができるタイプの携帯用電子機器の場合には、上述した煩わしさを感じることがない。ところが、この携帯用電子機器は、通常内蔵されているスピーカとは別に、イヤホンを収納する収納部とコードの巻き取り機構等を備える必要がある。そのため、設置スペースを確保する必要があり、小型化を図ることが難しいものであった。
しかも、部屋の中等、静かな環境で携帯用電子機器を使用する場合には、イヤホンではなく通常スピーカから音声を聞いている。このような状況の場合には、イヤホンは何ら機能していない。このように、使用状況によってはイヤホンを使用しない時間が多々あるにも関わらず、スピーカとは別にイヤホンを備える必要があった。よって、コストダウンを図ることが難しかった。
【０００６】
また、スピーカを内蔵せず、イヤホンだけを備えた携帯用電子機器も知られているが、この携帯用電子機器の場合には、小型化及び低コスト化を図り易い反面、以下の不都合がある。
即ち、部屋の中等、周囲に迷惑をかけない静かな環境で使用する場合であっても、イヤホンを使用せざるを得ない。そのため、やはり煩わしさを感じる場合があった。仮にイヤホンを耳から外して音量を上げたとしても、スピーカとは異なりイヤホンからの音声を明瞭に聞き取ることが難しいものであった。このように、イヤホンを使用しないと音声を聞き取ることができず、使い勝手が悪く、利便性に欠けるものであった。
【０００７】
本発明は、このような事情に考慮してなされたもので、その目的は、イヤホンをスピーカとしても使用することができ、小型化及び低コスト化を図ることができる携帯用電子機器を提供することである。
【課題を解決するための手段】
【０００８】
本発明は、前記課題を解決するために以下の手段を提供する。
本発明に係る携帯用電子機器は、ケース本体と、該ケース本体に基端側が出し入れ可能に取り付けられたコードと、該コードの先端に配されて耳に挿入可能な挿入部とを有するイヤホンと、前記ケース本体に設けられ、前記イヤホンから音声を出力させる音声出力手段と、前記ケース本体の表面から内側に凹んだ状態で形成され、前記イヤホンを収納すると共に、収納されたイヤホンから出力された音声を内壁で反響させて該音声による空気振動を増幅させる収納室と、該収納室内を閉塞する閉位置と収納室内を開放する開位置との間で変位可能に前記ケース本体に固定され、増幅された前記空気振動によって振動する振動板を有するカバー部と、を備えていることを特徴とするものである。
【０００９】
この発明に係る携帯用電子機器においては、まず、イヤホンを使用する場合には、カバー部を閉位置から開位置に変位させて、ケース本体の表面から内側に凹んだ収納室内を開放した状態にする。次いで、収納室内に収納されているイヤホンをケース本体から引き出す。またこの際、挿入部に接続されているコードは、ケース本体から引き出される。そして、挿入部を耳に挿入した後、音声出力手段により音声を出力させる。これにより、イヤホンを利用して音声を聞くことができ、周囲の音が煩い状況等であっても明瞭に音声を聞くことができる。
【００１０】
また、イヤホンを使用しない場合には、イヤホンを収納室内に収納した後、カバー部を開位置から閉位置に変位させる。これにより、収納室内はカバー部によって閉塞された状態になる。つまり、イヤホンは、収納室の内壁とカバー部とで囲まれる空間内に置かれた状態になる。そして、イヤホンを収納した後、音声出力手段によりイヤホンから音声を出力させる。すると、イヤホンから出力された音声は、収納室の内壁で反響する。そのため、音声出力によって発生する空気振動は、増幅された状態となってカバー部の振動板に伝播する。これにより、振動板は、増幅された空気振動によって振動し、より大きな音で外部に音声を伝える。つまり、イヤホンをスピーカとして機能させることができる。
【００１１】
その結果、イヤホンだけでは出せない音量で音声を明瞭に聞くことができる。よって、使用者は部屋の中等静かな環境で使用する場合には、イヤホンを耳に装着しなくても音声を聞くことができる。
特に、イヤホンをスピーカとして機能させることができるので、従来のように、イヤホンとスピーカとを別々に設ける必要がない。そのため、スピーカの設置スペースをなくすことができ、小型化を図ることができると共に、構成の簡略化を図ることができる。また、スピーカのコストを削減できるので、低コスト化を図ることができる。また、イヤホンを収納室に収納してカバー部を閉位置に位置させるだけで、スピーカとして機能させることができるので、スイッチ等によりスピーカ使用とイヤホン使用とで音声出力先を切り替える操作等が不要である。よって、操作性の向上化も図ることができる。
【００１２】
また、本発明に係る携帯用電子機器は、上記本発明の携帯用電子機器において、前記収納室には、前記挿入部が嵌め込まれる嵌合孔が形成され、該嵌合孔が、嵌め込まれた前記挿入部の周囲を所定の力で押圧して保持することを特徴とするものである。
【００１３】
この発明に係る携帯用電子機器においては、挿入部を収納室内に収納する際に、収納室内に形成された嵌合孔に挿入部を押し込んで嵌め込む。すると嵌合孔は、嵌め込まれた挿入部の周囲を所定の力で押圧して、該挿入部を保持する。これにより、単に挿入部を収納室内に収納するのではなく、しっかりと保持した状態で収納することができる。そのため、使用中に携帯用電子機器の姿勢を変化させたとしても、挿入部が収納室内で動いてしまうことがない。その結果、安定した音声を出力させることができ、信頼性の向上化を図ることができる。
【００１４】
また、本発明に係る携帯用電子機器は、上記本発明の携帯用電子機器において、前記カバー部が、ヒンジ部を介して前記ケース本体に開閉可能に固定されていることを特徴とするものである。
【００１５】
この発明に係る携帯用電子機器においては、ヒンジ部を中心としてカバー部を開閉操作するだけで、該カバー部を閉位置と開位置との間で容易かつ瞬時に変位させることができる。よって、使いやすく操作性に優れている。
【００１６】
また、本発明に係る携帯用電子機器は、上記本発明の携帯用電子機器において、前記カバー部が、前記ケース本体に対してスライド可能に固定されていることを特徴とするものである。
【００１７】
この発明に係る携帯用電子機器においては、ケース本体に対してカバー部をスライド操作するだけで、該カバー部を閉位置と開位置との間で容易かつ瞬時に変位させることができる。よって、使いやすく操作性に優れている。
【００１８】
また、本発明に係る携帯用電子機器は、上記本発明のいずれかの携帯用電子機器において、前記イヤホン、前記収納室及び前記カバー部材をそれぞれ２つ備えていることを特徴とするものである。
【００１９】
この発明に係る携帯用電子機器においては、イヤホンを使用する際に、両耳にイヤホンを入れて使用することができる。よって、より外部の音を遮断して、明瞭に音声を聞くことができる。
【００２０】
また、本発明に係る携帯用電子機器は、上記本発明の携帯用電子機器において、前記音声出力手段が、前記２つのイヤホンから出力させる音声の出力レベルをそれぞれ調整するステレオ音量調整手段を有していることを特徴とするものである。
【００２１】
この発明に係る携帯用電子機器においては、２つのイヤホンからステレオ音量調整手段により出力レベルが調整された音声を出力することができるので、最適な音量のステレオ状態で音声を聞くことができる。従って、機能性を向上することができる。
【００２２】
また、本発明に係る携帯用電子機器は、上記本発明のいずれかの携帯用電子機器において、前記本体ケースの表面には、少なくとも１つが前記音声出力手段を制御する複数のスイッチと、前記音声出力手段の出力情報を表示する表示部とが設けられていることを特徴とするものである。
【００２３】
この発明に係る携帯用電子機器においては、スイッチにより音声出力手段を制御できるので、音声の出力タイミングや所望する音声情報を確実に出力することができる。また、表示部に表示された出力情報を確認することで、正確な操作を行うことができる。従って、操作性をより向上することができる。
【００２４】
また、本発明に係る携帯用電子機器は、上記本発明の携帯用電子機器において、前記収納室が、前記複数のスイッチ及び前記表示部が設けられた面と同じ面に設けられていることを特徴とするものである。
【００２５】
この発明に係る携帯用電子機器においては、スイッチ及び表示部が設けられている面と同じ面に収納室が設けられている。例えば、ケース本体の上面に、スイッチ、表示部及び収納室が全て設けられている。そのため、イヤホンを収納室に収納してスピーカとして機能させる際に、音声を使用者に向かって出力させることができる。よって、音声をより聞き取り易くすることができる。
【００２６】
また、本発明に係る携帯用電子機器は、上記本発明のいずれかの携帯用電子機器において、前記ケース本体内には、前記コードをケース本体内に巻き取る巻取手段が設けられていることを特徴とするものである。
【００２７】
この発明に係る携帯用電子機器においては、イヤホンを収納室内に収納する際に、巻取手段により容易かつ瞬時にコードを巻き取ることができる。よって、操作性を高めることができる。また、イヤホンを耳に装着した後、コードを巻き取って、該コードの長さを最適な長さに調整することができる。このように、コードの余長分を調整できるので、使い易い。
【００２８】
また、本発明に係る携帯用電子機器は、上記本発明のいずれかの携帯用電子機器において、前記本体ケース内に設けられた充電池と、前記ケース本体に設けられ、前記充電地に電力を充電する充電手段とを備えていることを特徴とするものである。
【００２９】
この発明に係る携帯用電子機器においては、充電手段を介して充電池に外部からの電力を充電できるので、通常の電池を別個に用意する必要がない。従って、ランニングコストを低減することができる。
【発明の効果】
【００３０】
本発明に係る携帯用電子機器によれば、イヤホンをスピーカとして使用することができ、小型化及び低コスト化を図ることができる。
【発明を実施するための最良の形態】
【００３１】
（第１実施形態）
以下、本発明に係る携帯用電子機器の第１実施形態を、図１から図６を参照して説明する。なお、本実施形態では、携帯用電子機器の一例として、携帯型語学学習機を例に挙げて説明する。
本実施形態の携帯型語学学習機１は、図１から図３に示すように、ケース本体２と、２つのイヤホン３と、２つのイヤホン３から音声を出力させる音声出力手段４と、２つのイヤホン３をそれぞれ収納する収納室５と、該収納室５にそれぞれ蓋をする２つのカバー部６とを備えている。
【００３２】
ケース本体２は、プラスチックやアルミ等の金属材料により薄型の箱状に形成されている。このケース本体２の上面には、音声出力手段４の出力情報を表示するＬＣＤ（Liquid Crystal Display）等の液晶表示器である表示部１０と、少なくとも１つが音声出力手段４を制御する複数のボタン（スイッチ）１１とが設けられている。
【００３３】
また、ケース本体２内には、図３に示すように、制御部１２及び音声情報を含む各種の情報が記憶されているメモリ１３等が実装された基板１４や、乾電池１５が内蔵されている。制御部１２は、ＣＰＵ等の演算処理部、語学学習機としての各種プログラム等が記憶されているＲＯＭ、一時記憶媒体であるＲＡＭ、表示部１０の制御を行う表示制御部やボタン１１の入力を制御する入力制御部等を有している。そして制御部１２は、複数のボタン１１が押下されたときに送られてくる信号に基づいて、各構成品を総合的に制御して語学学習機としての各種機能を作動させるようになっている。例えば、ボタン１１によって選択された学習プログラムを実行させたり、日本語表示と英語表示とを切り替えたり、音量を調整したりするようになっている。
【００３４】
また、制御部１２は、メモリ１３に記憶されている音声情報を、音声変換部１６を介して２つのイヤホン３から音声出力させる機能を有している。これにより、例えば、外国語を正しい音声（ネイティブ音声）で聞いて学習することが可能とされている。この際、制御部１２は、音声出力の情報を表示部１０に表示している。そのため、使用者は、目と耳とで語学を学習することができるようになっている。即ち、制御部１２及び音声変換部１６は、上記音声出力手段４として機能するようになっている。
また、制御部１２は、ボタン１１の操作に応じて、音声出力の情報だけなく、その他各種情報を表示部１０に表示している。例えば、学習プログラムの内容、音声再生速度、時刻、日付や乾電池１５の残量等を表示できるようになっている。
【００３５】
また、音声変換部１６は、２つのイヤホン３から出力させる音声の出力レベルをそれぞれ調整するステレオ調整手段としても機能するようになっている。これにより、２つのイヤホン３から最適な音量のステレオ状態で音声を聞くことができるようになっている。
【００３６】
イヤホン３は、ケース本体２に基端側が出し入れ可能に取り付けられたコード３ａと、該コード３ａの先端に配されて耳に挿入可能な挿入部３ｂとから構成されている。コード３ａは、図３に示すように、収納室５に設けられた挿通孔５ｄを通って出し入れされるようになっている。また、本実施形態では、コード３ａの基端側をケース本体２内に設けられた巻取手段２０によって巻き取ることができるようになっている。
【００３７】
この巻取手段２０は、図４に示すように、軸部材２１と、該軸部材２１によって軸線Ｌ回りに回転可能に支持されると共に、コード３ａを２つのフランジ２２、２３間の外周面に巻回可能なリール２４と、リール２４を軸線Ｌ回りの一方向（図４に示すＲ方向）に向けて付勢するコイルスプリング２５とを有している。
軸部材２１は、円柱状に形成されてケース本体２の上面に垂直な方向に向いた状態で固定されている。リール２４は、中心部分にコイルスプリング２５を収納する凹部２４ａが形成されている。コイルスプリング２５は、この凹部２４ａ内に収納されると共に、両端が軸部材２１及び凹部２４ａの内周面にそれぞれ取り付けられている。これにより、リール２４は、常に一方向（Ｒ方向）に付勢された状態となっている。
【００３８】
また、２つのフランジ２２、２３のうち一方のフランジ２３には、切り欠き部２３ａが所定の角度毎に形成されている。また、リール２４に隣接する位置には、ストッパ２６がピン２７を中心として回転自在に設けられている。このストッパ２６は、切り欠き部２３ａに係合する鉤状の爪部２６ａが形成されている。そして、リール２４は、爪部２６ａと切り欠き部２３ａとが係合しているときに、上述した一方向（Ｒ方向）に回転しないようになっている。また、ストッパ２６の先端は、リール２４を他方向（図４に示すＲ方向とは逆方向）に回転したときに、その回転を妨げないように、例えば、円弧状に形成されている。
【００３９】
また、ストッパ２６は、図示しないスプリング等によって爪部２６ａが一方のフランジ２３に向けて付勢されている。また、ストッパ２６の基端側は、ケース本体２に設けられた図示しない巻取ボタンに機械的に連結されており、巻取ボタンが押下されたときにスプリングに抗する力で回転するようになっている。これにより、爪部２６ａと切り欠き部２３ａとの係合が解かれて、リール２４がコイルスプリング２５によって一方向に回転し。コード３ａをケース本体２内に巻き取ることができるようになっている。
【００４０】
上記収納室５は、図２及び図３に示すように、ケース本体２の表面から内側に凹んだ状態で形成され、イヤホン３を収納すると共に、収納されたイヤホン３から出力された音声を内壁５ａで反響させて該音声による空気振動を増幅させている。具体的に説明すると、この収納室５は、ケース本体２の表面から内側に向けて漸次径が縮径する断面テーパ状の内壁５ａと、該内壁５ａの一端側を遮蔽する遮蔽板５ｂとで囲まれた空間であり、本実施形態では、複数のボタン１１及び表示部１０と同じ面であるケース本体２の上面に形成されている。
【００４１】
なお、２つの収納室５は、図２に示すように、複数のボタン１１を間に挟むように形成されている。また、内壁５ａ及び遮蔽板５ｂは、ケース本体２と一体的に形成されていても構わないし、音を反響させる最適な材質で形成した後、ケース本体２に対して取り付けても構わない。また、遮蔽板５ｂの略中心には、図３に示すように、イヤホン３の挿入部３ｂの一部が納まる凹部５ｃと、コード３ａが挿通される上述した挿通孔５ｄとが連続的に形成されている。
【００４２】
上記カバー部６は、図２に示すように収納室５内を閉塞する閉位置Ｐ１と、図５に示すように収納室５内を開放する開位置Ｐ２との間で変位可能にケース本体２に固定されており、収納室５の内壁５ａで増幅された空気振動によって振動する振動板６ａを備えている。
具体的に説明すると、カバー部６は、収納室５の開口に合わせて環状に形成されたリング部６ｂと、該リング部６ｂの内側に固定された上記振動板６ａとを有している。この振動板６ａは、例えば、減衰性能が高い極薄のマグネシウム等の金属板を成型加工されたものである。そして、このカバー部６は、収納室５の開口付近のケース本体２に対して、ヒンジ部６ｃを介して開閉可能に固定されている。
【００４３】
次に、このように構成された携帯型語学学習機１を使用する場合について、以下に説明する。
まず、イヤホン３を使用して学習する場合には、図５に示すように、ヒンジ部６ｃを中心に２つのカバー部６をそれぞれ回転させて、閉位置Ｐ１から開位置Ｐ２に変位させる。これにより、収納室５内は、開放された状態になる。次いで、２つの収納室５内にそれぞれ収納されているイヤホン３の挿入部３ｂを指で把持して、収納室５から外部に引き出す。この際、挿入部３ｂに接続されているコード３ａは、挿通孔５ｄを介してケース本体２から引き出される。
【００４４】
つまり、挿入部３ｂの引き出しに伴って、コード３ａをコイルスプリング２５に抗する力で引き出すと、図４に示すリール２４は他方向（Ｒ方向とは逆方向）に回転する。この際、ストッパ２６は、先端の形状により他方向へのリール２４の回転を妨げることがないので、円滑にコード３ａを引き出すことができる。そして、コード３ａをある程度の長さまで引き出す。なお、コード３ａの引き出しを終了すると、コイルスプリング２５に付勢されてリール２４が一方向（Ｒ方向）に回転し、ストッパ２６の爪部２６ａがフランジ２３の切り欠き部２３ａに係合する。これにより、コード３ａは引き出された状態で維持される。
【００４５】
次いで、使用者は、図６に示すように、引き出した挿入部３ｂを耳に挿入してイヤホン３を装着する。また、イヤホン３を装着した後、コード３ａを巻き取ってコード３ａの長さを最適な調整することができる。即ち、ケース本体２に設けられている巻取ボタンを押下して、ストッパ２６をリール２４から離間するように回転させる。すると、爪部２６ａと切り欠き部２３ａとの係合が解かれるので、リール２４がコイルスプリング２５により一方向（Ｒ方向）に回転する。これにより、コード３ａをケース本体２内に巻き取ることができ、コード３ａの長さを短く調整することができる。また、巻取ボタンの押下を止めると、スプリングにより再度ストッパ２６がリール２４に当接して、爪部２６ａと切り欠き部２３ａとが係合する。そのため、コード３ａの巻き取りを停止することができる。
このように、巻取ボタンを押下することで、コード３ａの余長分を調整して最適な長さに調整することができる。
【００４６】
次いで、ボタン１１を適宜押下して、メモリ１３に記憶されている音声情報を音声出力手段４により音声出力させる。例えば、英語の例文を正しい音声で出力させる。使用者は、この音声を周囲の音が煩い状況（電車内やバス内）であっても、イヤホン３を利用して両耳で明瞭に聞くことができる。しかも、表示部１０に音声の出力情報、即ち、英語の例文が表示されるので、使用者は目と耳で英語を学習することができる。
【００４７】
次に、イヤホン３を使用しないで学習する場合には、巻取ボタンを押下してコード３ａを巻き取りながら、挿入部３ｂを収納室５内に入れてイヤホン３を収納する。次いで、ヒンジ部６ｃを中心にカバー部６を回転させて、図５に示す開位置Ｐ２から図２に示す閉位置Ｐ１に変位させる。これにより、収納室５内はカバー部６によって閉塞された状態となる。つまり、イヤホン３は、図３に示すように、収納室５の内壁５ａ及び遮蔽板５ｂとカバー部６とで囲まれる空間内に置かれた状態となる。そして、イヤホン３を収納した後、再度ボタンを適宜押下して、メモリ１３に記憶されている音声情報を音声出力手段４により音声出力させる。例えば、イヤホン３使用時と同様に英語の例文を正しい音声で出力させる。
【００４８】
すると、イヤホン３から出力された音声は、収納室５の内壁５ａで反響する。そのため、音声出力によって発生する空気振動は、増幅された状態となってカバー部６の振動板６ａに伝播する。これにより、振動板６ａは、増幅された空気振動によって振動して、より大きな音で外部に音声を伝える。つまり、イヤホン３をスピーカとして機能させることができる。
その結果、イヤホン３だけでは出せない音量で音声を明瞭に聞くことができる。よって、使用者は、部屋の中等静かな環境で使用する場合時には、イヤホン３を耳に装着しなくても明瞭に音声を聞くことができ、学習することができる。
【００４９】
特に、本実施形態の携帯型語学学習機１によれば、イヤホン３をスピーカとして機能させることができるので、従来のように、イヤホン３とスピーカとを別々に設ける必要がない。そのため、スピーカの設置スペースをなくすことができ、小型化を図ることができると共に、構成の簡略化を図ることができる。また、イヤホン３を収納室５に収納してカバー部６を閉位置Ｐ１に位置させるだけで、スピーカとして機能させることができるので、スイッチ等によりスピーカ使用とイヤホン３使用とで音声出力先を切り替える操作等が不要である。よって、操作性の向上化も図ることができる。しかも、カバー部６を変位させる際に、ヒンジ部６ｃを中心として単に開閉操作するだけであるので、容易かつ瞬時に閉位置Ｐ１と開位置Ｐ２との間を変位させることができる。よって、使い易く操作性に優れている。
【００５０】
また、イヤホン３を２つ備えているので、両耳に装着して学習することができる。そのため、特に周囲の音が煩い状況であっても、外部の音をより確実に遮断して明瞭に音声を聞くことができる。なお、イヤホン３を必ず２つ使用する必要はなく、一方のイヤホン３だけを使用しても構わない。また、イヤホン３を２つ使用することで、最適な音量のステレオ状態で音声を聞くことができる。従って、機能性の向上化を図ることができる。
【００５１】
また、ボタン１１により音声出力手段４を制御できるので、音声の出力タイミングや、所望する音声情報を確実に出力することができる。また、音声の出力情報が表示部１０に表示されるので、正確な操作を行うことができると共に、目と耳で学習でき、学習効率に優れている。また、コード３ａの長さを使用状況に応じて最適な長さで調整できるので、コード３ａが邪魔にならず煩わしさを感じることがない。よって、使い易い。
また、ボタン１１及び表示部１０が設けられている面と同じ面に収納室５が設けられているので、イヤホン３を収納室５に収納してスピーカとして機能させる際に、音声を使用者に向かって出力させることができる。よって、この点においても音声が聞き取り易い。
【００５２】
（第２実施形態）
次に、本発明に係る携帯用電子機器の第２実施形態について、図７から図１１を参照して説明する。なお、第２実施形態において第１実施形態と同一の構成については、同一の符号を付しその説明を省略する。
第２実施形態と第１実施形態との異なる点は、第１実施形態では、収納室５を複数のボタン１１及び表示部１０と同じ面であるケース本体２の上面に設けたが、第２実施形態では、収納室５をケース本体２の下面に設けた点である。また、第１実施形態では、イヤホン３、収納室５及びカバー部６をそれぞれ２つ備えたが、第２実施形態では、イヤホン３、収納室５及びカバー部６を１つだけ備えている点である。
【００５３】
即ち、本実施形態の携帯型語学学習機（携帯用電子機器）３０は、図７から図１０に示すように、ケース本体２の上面に複数のボタン１１及び表示部１０が設けられ、ケース本体２の下面に収納室５及びカバー部６が設けられている。また、本実施形態の収納室５には、図１１に示すように、イヤホン３の挿入部３ｂが嵌め込まれる嵌合孔３１が形成されている。具体的にこの嵌合孔３１は、遮蔽板５ｂに挿入部３ｂの外形と略同じ径で形成された円形の孔である。そして、この嵌合孔３１は、嵌め込まれた挿入部３ｂの周囲を所定の力で押圧して保持するようになっている。また、本実施形態の収納室５の内壁５ａは、断面テーパ状ではなく、ケース本体２の上面及び下面に対して垂直に形成されている。
【００５４】
このように構成された携帯型語学学習機３０においては、イヤホン３を使用する際に片耳でしか音声を聞くことができない点が第１実施形態と異なるが、それ以外は第１実施形態と同様の作用効果を奏することができる。特に、収納室５がケース本体２の下面に設けられているので、収納室５の分だけケース本体２を小さくしたり、収納室５の分だけ表示部１０を大きく設計したりすることができる。
また、イヤホン３を単に収納室５内に収納するのではなく、嵌合孔３１に嵌め込んでしっかりと保持した状態で収納することができる。そのため、収納時にイヤホン３が下を向いていたとしても、ぐらついたり落下したりする恐れがない。従って、安定した音声を出力させることができ、信頼性の向上化を図ることができる。
【００５５】
なお、本発明の技術範囲は上記実施の形態に限定されるものではなく、本発明の趣旨を逸脱しない範囲において種々の変更を加えることが可能である。
【００５６】
例えば、上記各実施形態においては、携帯用電子機器を携帯型語学学習機１、３０として説明したが、携帯型語学学習機１、３０に限られるものではなく、音声を出力する携帯用電子機器であれば構わない。例えば、携帯電話機、ＰＤＡ等の携帯情報端末、携帯ゲーム機や電子辞書等である。また、ボタン１１の個数や位置等は、任意に設定して良く、また表示部１０の位置等も同様に任意に設定して構わない。また、各ボタン１１の設定（制御部１２の制御方法）も用途に応じて自由に設定して構わない。
【００５７】
また、上記各実施形態では、ヒンジ部６ｃを中心に開閉可能にカバー部６を構成したが、この場合に限られず、閉位置Ｐ１と開位置Ｐ２との間で変位できるように構成されていれば構わない。例えば、本体ケースに対してスライド可能にカバー部６を固定しても構わない。この場合であっても、カバー部６をスライド操作するだけで、閉位置Ｐ１と開位置Ｐ２との間を容易かつ瞬時に変位させることができる。
【００５８】
また、上記各実施形態では、イヤホン３のコード３ａを巻取手段２０にてケース本体２内に巻き取ることができるように構成したが、この場合に限られず、単にコード３ａの基端側が出し入れ可能にケース本体２に取り付けられていれば構わない。
【００５９】
また、上記各実施形態において、乾電池１５を充電可能な充電池４０としても構わない。例えば、図１２に示すように、ケース本体２内に充電池４０を備えると共に、該充電池４０に電力を充電する充電用コネクタ（充電手段）４１をケース本体２に設けても構わない。こうすることで、図示しない充電器からの充電コード等を充電用コネクタ４１に接続することで、充電を行うことができ、通常の電池を別個に用意する必要がない。従って、維持経費（ランニングコスト）を低減することができる。
なお、充電用コネクタ４１をパッキン付のカバーで保護して、防水機能を有するように構成すると良い。こうすることで、充電用コネクタ４１を水滴等から保護することができる。
【００６０】
また、図１２に示すように、図示しないＵＳＢケーブル等の通信用ケーブルやメモリカード等の外部接続手段を接続することができるコネクタ部４２及び通信部４３を設けても構わない。こうすることで、他の電子機器から通信用ケーブルを介して音声情報を入手したり、メモリカードを介して音声情報を入手したりしてメモリ１３に記憶することができ、機能性をさらに向上することができる。
【図面の簡単な説明】
【００６１】
【図１】本発明に係る携帯用電子機器の第１実施形態を示す上面図である。
【図２】図１に示す携帯用電子機器の斜視図である。
【図３】図１に示す断面矢視Ａ−Ａ図である。
【図４】図２に示す巻取手段の拡大斜視図である。
【図５】図１に示す携帯用電子機器の斜視図であって、カバー部を開けてイヤホンを収納室から引き出した状態を示す図である。
【図６】イヤホンを耳に装着する直前の状態を示す図である。
【図７】本発明に係る携帯用電子機器の第２実施形態を示す上面図である。
【図８】図７に示す携帯用電子機器の下面図である。
【図９】図７に示す携帯用電子機器の上面側から見た斜視図である。
【図１０】図７に示す携帯用電子機器の下面側から見た斜視図である。
【図１１】図９に示す断面矢視Ｂ−Ｂ図である。
【図１２】図１に示す携帯用電子機器の変形例を示す断面図である。
【符号の説明】
【００６２】
Ｐ１    閉位置
Ｐ２    開位置
１、３０    携帯型語学学習機（携帯用電子機器）
２    ケース本体
３    イヤホン
３ａ    コード
３ｂ    挿入部
４    音声出力手段
５    収納室
５ａ    内壁
６    カバー部
６ａ    振動板
６ｃ    ヒンジ部
１０    表示部
１１    ボタン（スイッチ）
１６    音声変換部（ステレオ音量調整手段）
２０    巻取手段
３１    嵌合孔
４０    充電池
４１    充電用コネクタ（充電手段）
【図１】
2008187430.tif 000003
【図２】
2008187430.tif 000004
【図３】
2008187430.tif 000005
【図４】
2008187430.tif 000006
【図５】
2008187430.tif 000007
【図６】
2008187430.tif 000008
【図７】
2008187430.tif 000009
【図８】
2008187430.tif 000010
【図９】
2008187430.tif 000011
【図１０】
2008187430.tif 000012
【図１１】
2008187430.tif 000013
【図１２】
2008187430.tif 000014